(57)【要約】【課題】遊技領域が前後に並設された遊技機において、それら両遊技領域の構成の好適化を図ることができる遊技機を提供すること。【解決手段】パチンコ機は、前側遊技盤８１と後側遊技盤８２とを有する遊技盤ユニット８０を備えている。前側遊技盤８１及び後側遊技盤８２は前後に並設されており、前側遊技盤８１の裏面と後側遊技盤８２の表面とは対向している。そして、前側遊技盤８１の前方に前側遊技領域９３が形成されており、前側遊技盤８１と後側遊技盤８２との間に後側遊技領域１２３が形成されている。前側遊技領域９３には、遊技球を分散するための分散部材として釘９４が設けられている。一方、後側遊技領域１２３には、釘９４は設けられておらず、代わりに分散部材として棒状弾性体が設けられている。当該棒状弾性体は、前側遊技盤８１の裏面に固定されている。【選択図】      図４
2008212255.tif 000002
【特許請求の範囲】
【請求項１】
遊技機前面部に設けられた窓パネル部と、
当該窓パネル部の後方において窓パネル部と並設された透明板部と、
前記窓パネル部と前記透明板部との間に設けられ、さらに棒状の第１分散部材を複数有し、導入された遊技球の流下方向が当該第１分散部材により分散される第１遊技領域と、
前記透明板部の後方において前記第１遊技領域と並設され、さらに棒状の第２分散部材を複数有し、導入された遊技球の流下方向が当該第２分散部材により分散される第２遊技領域と、
を備え、
前記第１分散部材と前記第２分散部材とを相互に識別可能なものとしたことを特徴とする遊技機。
【請求項２】
前記第１分散部材及び前記第２分散部材のうち、一方は金属製の釘部材であり、他方は樹脂製分散部材であることを特徴とする請求項１に記載の遊技機。
【請求項３】
前記樹脂製分散部材は、長さ方向の一方の端部が前記透明板部側にあるとともに、他方の端部が前記透明板部と板面が対向する対向板部側にあり、
前記樹脂製分散部材に遊技球が当たった際には、当該樹脂製分散部材の前記各端部と対応する板部との当接により、その遊技球が当たったことによる負荷が前記各板部にて受けられることを特徴とする請求項２に記載の遊技機。
【発明の詳細な説明】
【技術分野】
【０００１】
本発明は、遊技球が流下する遊技領域を有する遊技機に関するものである。
【背景技術】
【０００２】
遊技球が流下する遊技領域を有する遊技機として、パチンコ遊技機がある。パチンコ遊技機は遊技盤を備えており、当該遊技盤の前面側に釘などの球分散部材や遊技球が入球する入球部が取り付けられて、上記遊技領域が形成されている。そして、遊技者による発射操作に応じて遊技領域に遊技球が発射され、球分散部材に衝突し分散されながら遊技領域を流下した遊技球が入球部に入球することで、賞球の払い出しなどといった特典が遊技者に付与される。
【０００３】
上記パチンコ遊技機において、近年では、遊技球の流下態様の多様化を図るべく、例えば特許文献１に示すように遊技領域を前後に並設する構成が提案されている。当該構成について詳細には、前面側に上記球分散部材などが取り付けられた遊技盤が前後に並設されている。この場合、前側の遊技盤は透明板により形成されており、後側の遊技領域が前側の遊技盤を通してパチンコ遊技機前方から視認可能となっている。遊技球は前側又は後側のいずれかの遊技領域に発射される。また、遊技領域間には通路部が設けられており、発射対象となっていない遊技領域への遊技球の導出は上記通路部を介して行われる。
【特許文献１】特開２００６―１６７０２４号公報
【発明の開示】
【発明が解決しようとする課題】
【０００４】
ここで、上記のように遊技領域を並設した構成において、その並設したことによる効果を高める上で、依然として改良の余地がある。例えば、両遊技領域における遊技球の流下態様に注目させるためには、前後のいずれの遊技領域を遊技球が流下しているかを遊技者に明確に認識させることが好ましく、この点について改良の余地がある。
【０００５】
本発明は、上記事情に鑑みなされたものであり、遊技領域が前後に並設された遊技機において、それら両遊技領域の構成の好適化を図ることができる遊技機を提供することを目的とするものである。
【課題を解決するための手段】
【０００６】
以下、上記課題を解決するのに有効な手段等につき、必要に応じて効果等を示しつつ説明する。なお以下においては、理解の容易のため、発明の実施形態において対応する構成を括弧書き等で適宜示すが、この括弧書き等で示した具体的構成に限定されるものではない。
【０００７】
手段１．遊技機前面部に設けられた窓パネル部（透明パネル３２）と、
当該窓パネル部の後方において窓パネル部と並設された透明板部（前側遊技盤８１等）と、
前記窓パネル部と前記透明板部との間に設けられ、さらに棒状の第１分散部材（釘９４等）を複数有し、導入された遊技球の流下方向が当該第１分散部材により分散される第１遊技領域（前側遊技領域９３）と、
前記透明板部の後方において前記第１遊技領域と並設され、さらに棒状の第２分散部材（棒状弾性体１２４等）を複数有し、導入された遊技球の流下方向が当該第２分散部材により分散される第２遊技領域（後側遊技領域１２３）と、
を備え、
前記第１分散部材と前記第２分散部材とを相互に識別可能なものとしたことを特徴とする遊技機。
【０００８】
手段１の遊技機では、第１遊技領域と第２遊技領域とが並設されており、それら各遊技領域における遊技球の流下態様が窓パネル部を通じて遊技機前方から視認される。これにより、遊技球の流下態様の多様化が図られている。
【０００９】
当該構成において、第１遊技領域に設けられた第１分散部材と第２遊技領域に設けられた第２分散部材とが相互に識別可能となっている。これにより、第１遊技領域と第２遊技領域とが前後に並設された構成において、遊技者にとっては、遊技球がいずれの分散部材に当たって分散されているかを把握することで、当該遊技球がいずれの遊技領域を流下しているかを把握することが可能となる。よって、各遊技領域における遊技球の流下態様のそれぞれに注目させることができ、複数の遊技領域を並設した効果が確実に発揮される。
【００１０】
また、遊技機が多数設置された遊技ホールにおいて遊技者は一般的に、設置角度などといった分散部材の設置態様を把握して、自らが遊技を行う遊技機を選択する。かかる事情において、上記のように第１分散部材と第２分散部材とを相互に識別可能なものとすることで、遊技者にとって各分散部材の設置態様を把握し易くなる。よって、複数の遊技領域が並設された構成において、自らが遊技を行う遊技機の選択を良好に行わせることが可能となる。
【００１１】
なお、第１遊技領域及び第２遊技領域には、対応する第１，第２分散部材以外に分散部材を有していない構成としてもよい。また、対応する第１，第２分散部材以外にも分散部材を有していてもよく、その分散部材は第１遊技領域と第２遊技領域とで共通していてもよい。
【００１２】
また、「窓パネル部と並設された透明板部」における「並設」とは、窓パネル部と透明板部とが正面視で重なるように設けられていることであり、窓パネル部と透明板部との間に両者を隔てる部材が介在していない構成だけでなく、両者を隔てる部材が介在している構成も含まれる。このうち両者を隔てる部材が介在している場合には、「第１遊技領域」は、その隔てる部材と透明板部との間に設けられた領域となる。当該構成であっても、第１遊技領域は依然として窓パネル部と透明板部との間に設けられている。なお、この「並設」は、「前記第１遊技領域と並設」における「並設」についても同様である。つまり、第２遊技領域は、第１遊技領域の後方において、当該第１遊技領域と正面視で重なっている構成であれば良い。
【００１３】
手段２．手段１において、前記第１分散部材と前記第２分散部材とは、色彩、模様、形状又は大きさのうち少なくとも１つが相違しており、その相違により前記第１分散部材と前記第２分散部材とが相互に識別可能となっていることを特徴とする遊技機。
【００１４】
手段２によれば、第１分散部材と第２分散部材とが相互に識別可能となり、上記手段１の効果を得ることができる。
【００１５】
手段３．手段１又は２において、前記第１分散部材及び前記第２分散部材のうち、一方は金属製の釘部材（釘９４）であり、他方は樹脂製分散部材（棒状弾性体１２４，１８１）であることを特徴とする遊技機。
【００１６】
手段３によれば、第１分散部材と第２分散部材とで材料が相違し、その相違により第１分散部材と第２分散部材とが相互に識別可能となっている。これにより、上記手段１の効果を得ることができる。
【００１７】
また、本構成によれば、第１分散部材と第２分散部材とで弾性を異ならせることが可能となり、両者の弾性を異ならせることで遊技球が当たった場合の弾み方が異なるものとなる。これにより、第１遊技領域と第２遊技領域とが前後に並設された構成において、遊技者にとっては、遊技球が分散部材に当たった場合の弾み方を把握することで、当該遊技球がいずれの遊技領域を流下しているかを把握することが可能となる。
【００１８】
手段４．手段３において、前記樹脂製分散部材は、長さ方向の一方の端部が前記透明板部側にあるとともに、他方の端部が前記透明板部と板面が対向する対向板部（後側遊技盤８２等）側にあり、
前記樹脂製分散部材に遊技球が当たった際には、当該樹脂製分散部材の前記各端部と対応する板部との当接により、その遊技球が当たったことによる負荷が前記各板部にて受けられることを特徴とする遊技機。
【００１９】
樹脂製分散部材は釘部材に比べ剛性が低いため、一端部が片持ち支持された構成では流下してくる遊技球の負荷が完全に受けられず、遊技球を分散する機能が好適に発揮されないおそれがある。これに対して、手段４によれば、樹脂製分散部材に遊技球が当たった際には、当該樹脂製分散部材の各端部と対応する板部との当接により、その遊技球が当たったことによる負荷が各板部にて受けられる。これにより、遊技球が当たった際に、樹脂製分散部材はその負荷に抗することができ、遊技球を分散する機能が好適に発揮される。
【００２０】
なお、「対向板部」は上記のとおり透明板部と対向している板部であればよく、例えば、透明板部の後方に位置する第２分散部材が樹脂製分散部材である構成においては、対向板部を、透明板部の後方にて当該透明板部の裏面に対して表面が対向するように設けられた後方板部（後側遊技盤８２）としてもよい。また、例えば、透明板部の前方に位置する第１分散部材が樹脂製分散部材である構成においては、対向板部を、透明板部の前方にて当該透明板部の表面に対して裏面が対向するように設けられた前方板部としてもよい。但し、この場合、各遊技領域を流下する遊技球が視認可能なように前方板部を透明性材料により形成する必要がある。また、前方板部を、上記窓パネル部としてもよい。この場合、窓パネル部にて前方板部としての機能が兼用され、構成の簡素化を図りつつ上記効果を得ることができる。
【００２１】
手段５．手段４において、前記樹脂製分散部材は、前記透明板部又は前記対向板部のうち一方の板部に固定されているとともに、他方の板部には両板部間の離脱に際してその離脱を阻止しない非固定状態で当接させて設置されていることを特徴とする遊技機。
【００２２】
手段５によれば、樹脂製分散部材に遊技球が当たった際には、その負荷は、透明板部又は対向板部のうち固定に関わる側の板部において受けられるとともに、非固定状態での当接配置に関わる側の板部においても受けられる。これにより、上記手段４における効果を得ることができる。
【００２３】
また、本構成によれば、樹脂製分散部材は、透明板部及び対向板部の両方に固定されているのではなく、一方にのみ固定されている。これにより、透明板部と対向板部とを設置する際には、樹脂製分散部材の固定は一方の板部にのみ行うだけでよく、その作業性が良好なものとなる。
【００２４】
また、透明板部及び対向板部の両方に樹脂製分散部材が固定された構成を想定すると、透明板部又は対向板部のメンテナンスなどに際して一方の板部を他方の板部から分離するためには、樹脂製分散部材の固定を解除する必要が生じ、その作業は困難である。これに対して、一方の板部にのみ固定されているので、透明板部又は対向板部のメンテナンスなどに際して樹脂製分散部材の固定を解除する必要はなく、メンテナンスなどにおける作業性を向上させることができる。
【００２５】
手段６．手段５において、前記透明板部又は前記対向板部のうち前記樹脂製分散部材が非固定状態で当接する側の板部には、当該樹脂製分散部材における長さ方向の一方の端部（支持用突起１３４）が挿入されるとともに当該端部を支持する支持穴部（支持用穴部１４１）が形成されていることを特徴とする遊技機。
【００２６】
手段６によれば、透明板部又は対向板部のうち樹脂製分散部材が非固定状態で当接する側の板部に支持穴部が形成されていることにより、当該板部側における樹脂製分散部材の支持を確実なものとすることができる。
【００２７】
なお、「支持穴部」は、樹脂製分散部材における挿入された端部を支持する機能を有するのであれば、板部を前後方向に貫通していない構成又は貫通している構成のいずれであってもよい。但し、板部の強度の観点からは、貫通していない構成が好ましい。
【００２８】
手段７．手段６において、前記支持穴部の開口面積を、前記樹脂製分散部材の挿入側の端部における前記長さ方向に対して垂直方向の断面積よりも大きくするとともに、
前記支持穴部には、前記挿入側の端部に下方から当接する下側当接面（底面１４２）を形成したことを特徴とする遊技機。
【００２９】
手段７によれば、支持穴部の開口面積が、樹脂製分散部材の挿入側の端部における長さ方向に対して垂直方向の断面積よりも大きくなっていることにより、樹脂製分散部材を挿入させる際の挿入側の端部と支持穴部との位置合わせ作業を良好に行うことができる。
【００３０】
また、上記のように支持穴部の開口面積が設定された構成において、支持穴部には下側当接面が形成されている。これにより、樹脂製分散部材における挿入側の端部は、支持穴部により少なくとも下方から支持され、樹脂製分散部材に遊技球が上方から当たった際の負荷は確実に支持穴部（又は支持穴部が形成された板部）にて受けられる。
【００３１】
手段８．手段７において、前記支持穴部の深さ寸法は、前記樹脂製分散部材における前記挿入側の端部の長さ寸法と同一又はそれよりも若干大きくなっており、
前記下側当接面は、前記挿入側の端部の挿入方向に上り傾斜となっていることを特徴とする遊技機。
【００３２】
上記手段７の構成を備え、支持穴部の開口面積が、樹脂製分散部材の挿入側の端部における長さ方向に対して垂直方向の断面積よりも大きい構成においては、支持穴部内における上記挿入側の端部の上下方向位置が、各板部の設置位置に応じて上下するものと考えられる。この場合に、手段８によれば、下側当接面が挿入側の端部の挿入方向に上り傾斜となっているため、支持穴部における挿入側の端部の上下方向位置が、本来配置されるべき基準位置から若干ずれたとしても、挿入側の端部は下側当接面により下方から支持される。
【００３３】
手段９．手段７において、前記支持穴部の深さ寸法は、前記樹脂製分散部材における前記挿入側の端部の長さ寸法と同一又はそれよりも若干大きくなっており、
前記支持穴部の下側当接面は、前記挿入側の端部の挿入方向に上り傾斜となっているとともに、当該支持穴部の左右側面（側面１４３，１４４）は、前記挿入方向に連続的に幅狭となるように形成されていることを特徴とする遊技機。
【００３４】
上記手段７の構成を備え、支持穴部の開口面積が、樹脂製分散部材の挿入側の端部における長さ方向に対して垂直方向の断面積よりも大きくなった構成においては、支持穴部における挿入側の端部の上下方向位置及び左右方向位置が、各板部の設置位置に応じて上下又は左右するものと考えられる。この場合に、手段９によれば、支持穴部の下側当接面が挿入側の端部の挿入方向に上り傾斜となっているとともに、支持穴部の左右側面が上記挿入方向に幅狭となるように形成されている。これにより、支持穴部における挿入側の端部の位置が、下側当接面及び左右側面に当接する基準位置へと極力ガイドされ、支持穴部における挿入側の端部の支持を良好に行うことができる。
【００３５】
手段１０．手段８又は９において、前記透明板部と前記対向板部とを固定する固定手段（ボルト８３、ナット８４）を備えており、
当該固定手段は、前記透明板部及び前記対向板部の固定に際して、上下方向及び左右方向の位置関係に余裕を持たせて両板部を固定するものであることを特徴とする遊技機。
【００３６】
手段１０によれば、透明板部と対向板部とを固定する固定手段が設けられていることにより、両板部をユニット化することが可能となり、遊技機の製造時やメンテナンス時などにおいて両板部を設置する際の作業性の向上が図られる。
【００３７】
この場合に、上記固定手段は、透明板部及び対向板部の固定に際して、上下方向及び左右方向の位置関係に余裕を持たせて両板部を固定する。固定手段が、両板部の固定に際して、上下方向及び左右方向の位置関係を完全に規制しながら固定する構成を想定すると、遊技機の製造段階において支持穴部の位置が僅かでもずれていると、当該支持穴部にて樹脂製分散部材の挿入側の端部が受けられなくなる。この場合、樹脂製分散部材の支持が良好に行われないだけでなく、その樹脂製分散部材が障害となって透明板部と対向板部との固定が行えないおそれがある。これに対して、上記のとおり固定手段は、透明板部及び対向板部の固定に際して、上下方向及び左右方向の位置関係に余裕を持たせて両板部を固定するものであるため、上記のような不都合が生じ難くなる。そして、上記手段８又は９の構成を備えていることにより、支持穴部に樹脂製分散部材における挿入側の端部を挿入させることで、当該挿入側の端部は支持穴部における上記基準位置へと極力ガイドされ、支持状態は自ずと良好なものとなり得る。
【００３８】
手段１１．手段５において、前記樹脂製分散部材における固定されない側の端部は、前記透明板部又は前記対向板部のうち前記樹脂製分散部材を固定しない側の板部の板面に当接されていることを特徴とする遊技機。
【００３９】
手段１１によれば、透明板部又は対向板部のうち一方の板部については、その板面に樹脂製分散部材の端部が当接しているだけで、何ら固定されていない。これにより、上記手段５における効果を得ることができる。特に、本構成では、樹脂製分散部材の端部と板部の板面との当接が確保されればよいため、透明板部と対向板部との上下方向及び左右方向の位置合わせが厳密に行われる必要はなく、透明板部と対向板部との設置作業の作業性の向上が図られる。
【００４０】
手段１２．手段４において、前記樹脂製分散部材は、前記透明板部又は前記対向板部のうち一方の板部に固定されているとともに、他方の板部に対してはその板面から当該板部側の端部（端部１８５）を離間させて設置されており、
さらに、当該他方の板部の板面と当該板面から離間された前記端部との位置関係を、流下する遊技球が樹脂製分散部材に少なくとも上方から当たった際に、それら板面と端部とが当接し得る位置関係としたことを特徴とする遊技機。
【００４１】
手段１２によれば、樹脂製分散部材に少なくとも上方から遊技球から当たった際には、その負荷は、透明板部又は対向板部のうち固定に関わる側の板部において受けられるとともに、離間配置に関わる側の板部においても受けられる。これにより、上記手段４における効果を得ることができる。
【００４２】
また、本構成によれば、樹脂製分散部材は、透明板部及び対向板部の両方に固定されているのではなく、一方にのみ固定されている。これにより、透明板部と対向板部とを設置する際には、樹脂製分散部材の固定は一方の板部にのみ行うだけでよく、その作業性が良好なものとなる。
【００４３】
また、透明板部及び対向板部の両方に樹脂製分散部材が固定された構成を想定すると、透明板部又は対向板部のメンテナンスなどに際して一方の板部を他方の板部から分離するためには、樹脂製分散部材の固定を解除する必要が生じ、その作業は困難である。これに対して、一方の板部にのみ固定されているので、透明板部又は対向板部のメンテナンスなどに際して樹脂製分散部材の固定を解除する必要はなく、メンテナンスなどにおける作業性を向上させることができる。
【００４４】
特に、本構成では、樹脂製分散部材の端部と板部の板面とが離間された位置関係となればよいため、透明板部と対向板部との上下方向及び左右方向の位置合わせが厳密に行われる必要はなく、透明板部と対向板部との設置作業の作業性の向上が図られる。
【００４５】
手段１３．手段５乃至１２のいずれかにおいて、前記樹脂製分散部材における少なくとも固定側の端部は、それよりも長さ方向の中間側であって当該固定側の端部と近接した部位に比して厚肉化されていることを特徴とする遊技機。
【００４６】
手段１３によれば、樹脂製分散部材における固定部位の強度を高めることが可能となり、遊技球が当たった際に樹脂製分散部材の固定部位が破損し、当該樹脂製分散部材が外れてしまうといった不都合の発生が抑制される。
【００４７】
なお、厚肉化した端部を遊技球に当たらないように形成することが好ましい。厚肉化した部位に遊技球が当たると、遊技球の分散が良好に行われないおそれがあるからである。
【００４８】
手段１４．手段１乃至１３のいずれかにおいて、前記第１分散部材を前記透明板部の前面に固定するとともに、前記第２分散部材を前記透明板部の後面に固定したことを特徴とする遊技機。
【００４９】
手段１４によれば、第１分散部材及び第２分散部材が共に透明板部に固定されるため、遊技機の製造段階や設計段階において、両分散部材の相互の位置決めを良好に行うことができる。
【００５０】
特に、透明板部に、第１遊技領域から第２遊技領域へ、又は第２遊技領域から第１遊技領域へ遊技球を導出する導出通路部を備えた構成においては、第１分散部材及び第２分散部材を上記導出通路部と重ならない位置に確実に設置することができる。つまり、第１分散部材及び第２分散部材の少なくとも一方が透明板部に設置されていない構成を想定すると、透明板部の設置に際してその位置にずれが生じ、導出通路部と分散部材とが重なってしまうおそれがある。これに対して、本構成によれば、透明板部に対して、第１分散部材、第２分散部材及び導出通路部が一体的なものとなっているため、上記のような不都合が生じることはない。
【００５１】
手段１５．手段１乃至１４のいずれかにおいて、前記第１遊技領域及び前記第２遊技領域のいずれにも、遊技球が入球する入球部（作動口装置１０１、可変入賞装置１０２、一般入賞口１０３、入球部１２５）が設けられており、いずれの入球部に遊技球が入球した場合であっても遊技者に特典が付与されることを特徴とする遊技機。
【００５２】
手段１５によれば、遊技者にとっては、第１遊技領域及び第２遊技領域のいずれにおいても特典を得る機会が与えられている。第１遊技領域又は第２遊技領域のいずれか一方にのみ入球部が設けられた構成においては、遊技領域を複数並設したにも関わらず、遊技者の注目が入球部が設けられた側の遊技領域に偏ってしまうおそれがあり、この場合、遊技領域を並設した効果が十分に発揮されない。これに対して、本構成によれば、第１遊技領域及び第２遊技領域のいずれに対しても遊技者の注目度が高められ、遊技領域を複数並設した効果が確実に発揮される。
【００５３】
なお、「特典」とは、遊技球が付与される又は仮想遊技媒体が付与されるといった利益が遊技者に付与されることだけでなく、例えば入球部への入球だけでは利益が遊技者に付与されないが、他の装置において利益が付与され得る状態となるものも含まれる。また、これら以外にも、入球部への入球により当否抽選が行われるものも含まれる。これは以下も同様である。
【００５４】
手段１６．手段１乃至１５のいずれかにおいて、前記第１遊技領域には遊技球が入球する入球部（作動口装置１０１、可変入賞装置１０２、一般入賞口１０３）が設けられており、その入球部に遊技球が入球した場合には遊技者に特典が付与される構成であり、
前記第１遊技領域における入球部の設置位置を、前記第２遊技領域における遊技球が流下する領域の前方領域に含まれない位置に設定したことを特徴とする遊技機。
【００５５】
手段１６によれば、第１遊技領域に入球部が設けられた構成において、当該入球部は第２遊技領域における遊技球が流下する領域の前方領域に含まれない位置に設置されている。これにより、入球部に入球した遊技球の排出通路により、第２遊技領域における遊技球の流下が邪魔されてしまうことが防止される。
【００５６】
手段１７．手段１５又は１６において、遊技者が操作する操作手段（遊技球発射ハンドル１８）と、その操作手段の操作に基づいて遊技球を発射する遊技球発射手段（遊技球発射機構５０）と、当該遊技球発射手段から発射された遊技球を前記第１遊技領域に導く第１導出通路部（内レール部材９１、外レール部材９２）と、前記透明板部に設けられ、前記第１遊技領域から前記第２遊技領域へ遊技球を導出する第２導出通路部（ワープ通路１１１）とを備え、
前記第１遊技領域にはその上部に前記入球部を備えるとともに、その上部に設けられた入球部よりも下方の位置に前記第２導出通路部を設置したことを特徴とする遊技機。
【００５７】
手段１７の遊技機では、操作手段が操作されることにより遊技球発射手段から遊技球が発射され、その発射された遊技球は第１導出通路部により第１遊技領域に導出される。また、第１遊技領域を流下する遊技球の一部は第２導出通路部を介して第２遊技領域に導出される。これにより、遊技領域を並設した構成において、遊技球の遊技領域間の移動が生じ、遊技球の流下態様が多様化される。
【００５８】
当該構成において、第１遊技領域にはその上部に入球部が設けられているとともに、その上部に設けられた入球部よりも下方の位置に第２導出通路部が設けられている。これにより、第２遊技領域における遊技球が流下する領域が、第１遊技領域において上部に設けられた入球部よりも下方となり、当該入球部に入球した遊技球の排出通路によって第２遊技領域における遊技球の流下が邪魔されてしまうことが防止される。
【００５９】
手段１８．手段１乃至１７のいずれかにおいて、前記透明板部には、前記第１遊技領域から前記第２遊技領域へ、又は前記第２遊技領域から前記第１遊技領域へ遊技球を導出する導出通路部（ワープ通路１１１）を設けたことを特徴とする遊技機。
【００６０】
手段１８によれば、透明板部に導出通路部が設けられていることにより、第１遊技領域から第２遊技領域への遊技球の導出、又は第２遊技領域から第１遊技領域への遊技球の導出が行われ、遊技球の流下態様がより多様化される。
【００６１】
手段１９．遊技機前面部に設けられた窓パネル部（透明パネル３２）と、
当該窓パネル部の後方において当該窓パネル部と前後に並設された透明板部（前側遊技盤８１等）と、
当該透明板部の前方に設けられ、導入された遊技球の流下方向が分散部材（釘９４等）により分散される第１遊技領域（前側遊技領域９３）と、
前記透明板部の後方において前記第１遊技領域と前後に並設され、導入された遊技球の流下方向が分散部材（棒状弾性体１２４等）により分散される第２遊技領域（後側遊技領域１２３）と、
を備えたことを特徴とする遊技機。
【００６２】
手段１９の遊技機では、第１遊技領域と第２遊技領域とが前後に並設されており、それら各遊技領域における遊技球の流下態様が窓パネル部を通じて遊技機前方から視認される。これにより、遊技球の流下態様の多様化が図られている。
【００６３】
なお、上記手段２乃至１８の構成を、上記手段１に代えて、本手段１９に対して適用してもよい。
【００６４】
手段２０．手段１乃至１９のいずれかにおいて、遊技者が操作する操作手段（遊技球発射ハンドル１８）と、その操作手段の操作に基づいて遊技球を発射する遊技球発射手段（遊技球発射機構５０）とを備えており、当該遊技球発射手段から発射された遊技球が前記第１遊技領域又は前記第２遊技領域に導出されることを特徴とする遊技機。
【００６５】
遊技者による操作手段の操作により遊技球が発射される遊技機に本発明を好適に適用される。
【発明を実施するための最良の形態】
【００６６】
以下、遊技機の一種であるパチンコ遊技機（以下、「パチンコ機」という）の一実施形態を、図面に基づいて詳細に説明する。図１はパチンコ機１０の正面図、図２はパチンコ機１０の主要な構成を展開又は分解して示す斜視図、図３はパチンコ機１０を構成する本体枠１２の前面構成を示す正面図である。なお、図２、図３では便宜上、パチンコ機１０の遊技領域内の構成を空白としている。
【００６７】
図１〜図３に示すように、パチンコ機１０は、当該パチンコ機１０の外殻を形成する外枠１１を備えている。外枠１１は、遊技ホールへの設置の際に、いわゆる島設備に取り付けられる。外枠１１は、木製の板材を全体として矩形枠状に組み合わせた状態とされ、各板材を小ネジ等の離脱可能な締結部材により固定することによって構成されている。
【００６８】
外枠１１の一側部には、本体枠１２が開閉可能に支持されている。その開閉軸線はパチンコ機１０の正面からみて左側に上下へ延びるように設定されており、その開閉軸線を軸心にして本体枠１２が前方側に開放できるようになっている。なお本実施形態では、外枠１１と本体枠１２とにより遊技機本体が構成されている。外枠１１に代わる構成として設置枠体を遊技ホール側に予め設けておき、遊技ホールへのパチンコ機１０の設置に際しては本体枠１２を前記設置枠体に組み付ける構成とすることも可能である。かかる構成では、本体枠１２により遊技機本体が構成される。
【００６９】
本体枠１２の前面側の下部位置には、前面板１４が設けられている。前面板１４は横長状に形成され、その横幅は本体枠１２の横幅とほぼ一致するように構成されている。前面板１４は、幅方向ほぼ中央部において手前側へ膨出した膨出部１５ａを有するベース部１５と、ベース部１５の膨出部１５ａ内側に設けられ下方にくぼんだ皿形状をなす球受皿としての下皿１６と、下皿１６の奥側の壁面を構成し、下皿１６への球排出口１７ａが形成された奥壁パネル１７とを備えている。
【００７０】
ベース部１５の膨出部１５ａ前面側にはスライド式の球抜きレバー１９が設けられている。なお、球抜きレバー１９はプッシュ式としてもよい。そして、球抜きレバー１９が操作されると下皿１６の底面に設けられた図示しない閉鎖板が一体に又はリンクを介して移動して球抜き穴が開放され、下皿１６内の貯留球が下方に排出されるよう構成されている。奥壁パネル１７の球排出口１７ａとは異なる位置には、多数の小孔が集合したスピーカカバー部１７ｂが形成されており、当該パネル１７の後方に設置されたスピーカ２０の出力音がスピーカカバー部１７ｂを通じて前方に発せられるようになっている。
【００７１】
ベース部１５には膨出部１５ａよりも右方に、手前側へ突出するようにして遊技球発射ハンドル１８が設けられている。遊技球発射ハンドル１８は、操作ハンドル１８ａと支持台座１８ｂとより構成されている。支持台座１８ｂには、周知の構成のため図示による説明は省略するが、遊技者が操作ハンドル１８ａに触れていることを検知するためのタッチセンサ、操作ハンドル１８ａが操作されたことを検知するための発射スイッチ及び操作ハンドル１８ａの操作量を検知するためのダイヤル可変抵抗器が設けられている。さらに、操作ハンドル１８ａを操作した状態で、遊技球の発射を止めるべく操作される止め打ちスイッチが設けられている。
【００７２】
本体枠１２の前面側の前面板１４を除く範囲には、本体枠１２を覆うようにして前面扉としての前扉枠１３が設けられている。従って、前面板１４と前扉枠１３とにより本体枠１２の前面側全体が覆われている。前扉枠１３は、本体枠１２に対して開閉可能に取り付けられており、本体枠１２と同様、パチンコ機１０の正面からみて左側に上下に延びる開閉軸線を軸心にして前方側に開放できるようになっている。
【００７３】
前扉枠１３の下部位置には、下皿１６の上方において手前側へ膨出した膨出部２２が設けられ、その膨出部２２内側には上方に開口した上皿２３が設けられている。上皿２３は、後述する払出装置より払い出された遊技球を一旦貯留し、一列に整列させながら後述する遊技球発射機構５０側へ導くための球受皿である。膨出部２２前面側には上皿２３用の球抜きレバー２４が設けられており、この球抜きレバー２４を操作すると上皿２３の最下流部付近に設けられた球抜き通路（図示略）が開放され、上皿２３内の貯留球が下皿１６へ排出されるようになっている。
【００７４】
前扉枠１３には窓部３１が形成されており、窓部３１には透明パネル３２が取り付けられている。この透明パネル３２を介して後述する遊技領域のほぼ全域が前方から視認できるようになっている。また、前扉枠１３にはその周囲（例えばコーナー部分）に各種ランプ等の発光手段が設けられている。これら発光手段は、大当たり時や所定のリーチ時等における遊技状態の変化に応じて点灯、点滅のように発光態様が変更制御されることにより、遊技中の演出効果を高める役割を果たす。例えば、窓部３１の周縁に沿ってＬＥＤ等の発光手段を内蔵した環状電飾部３３が左右対称に設けられ、環状電飾部３３の中央であってパチンコ機１０の最上部にはＬＥＤ等の発光手段を内蔵した中央電飾部３４が設けられている。本パチンコ機１０では、中央電飾部３４が大当たりランプとして機能し、大当たり状態時に点灯や点滅を行うことにより大当たり中であることを報知する。また、上皿２３周りにも、同じくＬＥＤ等の発光手段を内蔵した上皿電飾部３５が設けられている。その他、中央電飾部３４の左右側方には、賞球払出中に点灯する賞球ランプ３６と所定のエラー時に点灯するエラー表示ランプ３７とがそれぞれ設けられている。
【００７５】
前扉枠１３には、窓部３１の下方位置に、貸球操作部４０が配設されている。貸球操作部４０には球貸しボタン４１と、返却ボタン４２と、度数表示部４３とが設けられている。パチンコ機１０の側方に配置されたＣＲユニットに紙幣やカード等を投入した状態で、貸球操作部４０によって球貸し操作、カード返却操作及びカード度数の確認を行うことができる。すなわち、球貸しボタン４１は、カード等（記録媒体）に記録された情報に基づいて貸出球を得るために操作されるものであり、カード等に残額が存在する限りにおいて貸出球が払い出される。返却ボタン４２は、ＣＲユニットに挿入されたカード等の返却を求める際に操作される。度数表示部４３はカード等の残額情報を表示するものである。なお、ＣＲユニットを介さずに球貸し装置等から上皿に遊技球が直接貸し出されるパチンコ機（いわゆる現金機）では貸球操作部４０が不要となるが、かかる場合には、貸球操作部４０の設置部分に飾りシール等が付されるようになっている。これにより、貸球操作部４０を設けた本パチンコ機１０の構成において、ＣＲユニットを用いたパチンコ機（いわゆるＣＲ機）と現金機との共用が可能となる。
【００７６】
本体枠１２は、外形が前記外枠１１とほぼ同一形状をなす樹脂ベース２５を備えており、樹脂ベース２５の下部には、遊技球発射機構５０が取り付けられている。遊技球発射機構５０は、ベース部材としての金属板５１を備えており、金属板５１には、電磁式のソレノイド５２と、発射レール５３とが取り付けられている。ソレノイド５２の本体部は電気的な信号の入力に基づき通電され、ソレノイド５２の出力軸が伸縮方向に移動する。この場合に、ソレノイド５２は通電時に出力軸が左斜め上方へ突出するように配置されており、ソレノイド５２により打ち出された遊技球は発射レール５３上を移動し、後述する遊技領域に到達する。
【００７７】
本体枠１２の前面において発射レール５３の左側には、左右一対の排出口６６，６７が形成されると共に、その前方に、排出口６６，６７より排出された遊技球を上皿２３又は下皿１６の何れかに案内するための遊技球案内ユニット７０が取り付けられている。便宜上以下の説明では、排出口６６を第１排出口、排出口６７を第２排出口ともいう。基本的に第１排出口６６より遊技球の排出が行われ、この第１排出口６６も含め上皿２３に通じる通路が遊技球で一杯になると、第１排出口６６に代えて第２排出口６７より遊技球の排出が行われるようになっている。
【００７８】
遊技球案内ユニット７０には、前記排出口６６，６７と下皿１６とを連通するための球排出通路７１が形成されている。遊技球案内ユニット７０には、本体枠１２の第１排出口６６の手前側に、上皿２３に連通する連通口７２が形成され、連通口７２を閉鎖するようにして開閉プレート７３が取り付けられている。開閉プレート７３は支軸７４により回動可能に支持され、付勢手段としてのバネ７５により連通口７２を閉鎖する位置に常時付勢されている。
【００７９】
遊技球案内ユニット７０の上記構成によれば、前扉枠１３を開放した状態ではバネ７５の付勢力により開閉プレート７３が図示の如く起き上がり、連通口７２を閉鎖する。この状態では、第１排出口６６より排出される遊技球が球排出通路７１を通じて下皿１６に案内される。従って、連通口７２の上流側に遊技球が貯留されている状態で前扉枠１３を開放した場合、その貯留球は連通口７２よりこぼれ落ちることなく、球排出通路７１を通じて下皿１６に流下する。つまり、前飾り枠が省略され前扉枠１３に対して上皿２３が直接設けられる構成とした本パチンコ機１０にあっても、前扉枠１３の開放に際し連通口７２の上流側にある遊技球がこぼれ落ちてしまうといった不都合が防止できる。これに対し、前扉枠１３を閉鎖した状態では、前扉枠１３の裏面に設けられた球通路樋７６（図２参照）によりバネ７５の付勢力に抗して開閉プレート７３が押し開けられる。この状態では、第１排出口６６より排出される遊技球が連通口７２を介して上皿２３に案内される。従って、連通口７２より上流側の遊技球は上皿２３に払い出される。なお、遊技球案内ユニット７０の球排出通路７１下流側には、下皿１６に排出された遊技球が一杯（満タン）になったことを検知する下皿満タンスイッチが取り付けられている。
【００８０】
樹脂ベース２５の中央部であって透明パネル３２と前後に並ぶ位置には、略円形状の窓孔２６が形成されている。窓孔２６から一部が露出されるようにして、樹脂ベース２５にはその後方から遊技盤ユニット８０が装着されている。また、樹脂ベース２５には、遊技盤ユニット８０の後方に位置するようにして図柄表示装置１６０が装着されている（図５参照）。
【００８１】
遊技盤ユニット８０について、図４〜図７を用いて詳細に説明する。図４は遊技盤ユニット８０の分解斜視図、図５は遊技盤ユニット８０の固定に関する構成を説明するための説明図、図６は遊技盤ユニット８０の正面図、図７は遊技盤ユニット８０の縦断面の構成を説明するための略図である。
【００８２】
遊技盤ユニット８０は、図４等に示すように、一対の遊技盤（遊技板又は遊技領域形成板）８１，８２を備えている。これら遊技盤８１，８２は、一方の遊技盤８１の裏面（後面）に他方の遊技盤８２の表面（前面）を対向させて相互に固定され、ユニット化されている。
【００８３】
この固定に関する構成について詳細に説明すると、各遊技盤８１，８２の周縁には４つの貫通孔８１ａ，８２ａが形成されている。一方の遊技盤８１の貫通孔８１ａと他方の遊技盤８２の貫通孔８２ａとはそれぞれ対をなしている。そして、図５に示すように、それら対をなす貫通孔８１ａ，８２ａが同一軸線上となるようにして両遊技盤８１，８２が配置され、ボルト８３及びナット８４により両遊技盤８１，８２が相互に固定されている。この場合に、貫通孔８１ａ，８２ａの開口面積は、ボルト８３の貫通部８３ａにおける長さ方向に対して垂直方向の断面積よりも若干大きくなっている。したがって、両遊技盤８１，８２の固定に際しては、両遊技盤８１，８２の相互の上下方向位置及び左右方向位置に若干の余裕がある。両遊技盤８１，８２の固定部位には、両遊技盤８１，８２に挟まれるように緩衝材８５が設けられている。
【００８４】
なお、両遊技盤８１，８２の固定手段は、ボルト８３及びナット８４に限定されることはなく、両遊技盤８１，８２を把持することで両遊技盤８１，８２を固定する把持具としてもよい。この把持具として具体的には、所定距離離間されているとともにその離間された距離を縮めることが可能な一対のクランプ部を有するクランプ具が考えられ、当該クランプ具においては一対のクランプ部により両遊技盤８１，８２を外側から挟み込むことによりそれら両遊技盤８１，８２が固定される。そして、当該構成において、両遊技盤８１，８２の固定に際して、両遊技盤８１，８２の相互の上下方向位置及び左右方向位置に若干の余裕を生じさせるようにしてもよい。
【００８５】
遊技盤ユニット８０は、一方の遊技盤８１が前側、他方の遊技盤８２が後側となるようにして樹脂ベース２５に装着されている。以下、前側の遊技盤８１を前側遊技盤８１といい、後側の遊技盤８２を後側遊技盤８２という。なお、前側遊技盤８１は透明パネル３２の後方にあり、当該前側遊技盤８１の表面は透明パネル３２の裏面と対向している。
【００８６】
前側遊技盤８１及び後側遊技盤８２は、ポリカーボネートやアクリル樹脂などといった無色透明の合成樹脂により形成されている。この透明性は、パチンコ機１０前方から透明パネル３２を視認した場合に、前側遊技盤８１を通じて、後側遊技盤８２を視認可能であり、さらには前側遊技盤８１及び後側遊技盤８２を通じて、当該後側遊技盤８２の後方に位置する図柄表示装置１６０の表示態様を視認可能な程度であればよい。前側遊技盤８１及び後側遊技盤８２は、四角形状をなしている。なお、周縁には装着対象である樹脂ベース２５の一部との干渉を回避するための複数の切欠が形成されているが、当該切欠を形成するか否かは任意である。
【００８７】
前側遊技盤８１の前面には、図６に示すように、遊技球発射機構５０から発射された遊技球を前側遊技盤８１の前面上部へ案内するための内レール部材９１及び外レール部材９２が取り付けられている。前側遊技盤８１の前面は内外レール部材９１，９２により区画され、略円形状に区画された内側領域に遊技領域９３が形成されている。そして、この遊技領域９３は透明パネル３２を介してそのほぼ全域がパチンコ機１０前方から視認可能となっている。なお、遊技領域９３は前側遊技盤８１の前方に形成されていると言える。
【００８８】
遊技領域９３は、前側遊技盤８１の前面側に、第１分散部材としての金属製の釘９４が多数設置され、さらには複数の入球部１０１〜１０３や、ワープ通路形成体１０４が設置されて形成されている。また、これら以外にも、遊技領域９３には、一対のスルーゲート１０５や風車１０６が設置されているとともに、前側遊技盤８１を前後に貫通させてアウト口１０７が形成されている。いずれの入球部１０１〜１０３にも入球することなく遊技領域９３を流下し終えた遊技球は、アウト口１０７を介して遊技領域９３から排出される。また、遊技領域９３には、第１特定ランプ部１０８及び第２特定ランプ部１０９が設けられている。
【００８９】
釘９４は、図７に示すように、長さ方向（長手方向）の一端部が前側遊技盤８１に固定されている。この場合、釘９４は、パチンコ機１０前方に向けて上り傾斜となっている。固定された側とは反対側の端部はいずれの部材にも支持されておらず自由端となっている。遊技領域９３に導入された遊技球は、多数の釘９４に当たることで任意の位置に分散されながら流下する。この場合、釘９４は上記のとおり一端が自由端となっているため、遊技球が当たることによる負荷は全て前側遊技盤８１にて受けられる。
【００９０】
入球部１０１〜１０３は、前側遊技盤８１において前後方向に貫通させて形成された開口部にそれぞれ設置されている。入球部１０１〜１０３として、図６に示すように、作動口装置１０１、可変入賞装置１０２及び一対の一般入賞口１０３がある。そして、作動口装置１０１が遊技領域９３の上部に設置され、可変入賞装置１０２が遊技領域９３の下部に設置され、一対の一般入賞口１０３が可変入賞装置１０２の左右両側に設置されている。
【００９１】
作動口装置１０１、可変入賞装置１０２及び一般入賞口１０３に遊技球が入ると検出スイッチにより検出され、その検出結果に基づいて上皿２３（場合によって下皿１６）に所定数の賞品球が払い出される。
【００９２】
作動口装置１０１は、所定数の賞品球を払い出す払出契機としての機能だけでなく、遊技者に有利な大当たり状態（特別遊技状態）を発生させるか否かの当否抽選の抽選契機としての機能を有している。なお、第１特定ランプ部１０８は、上記大当たり状態の当否抽選の結果を報知する機能を有しており、作動口装置１０１への入球をトリガとして第１特定ランプ部１０８では所定の順序で発光色の切り換えが行われる。そして、上記発光色の切り換え表示が終了された際の発光色により当該当否抽選結果を報知する。また、作動口装置１０１への入球をトリガとして、図柄表示装置１６０における図柄の可変表示が行われる。
【００９３】
可変入賞装置１０２は扉体１０２ａを有しており、当該扉体１０２ａは通常は可変入賞装置１０２内に遊技球が入球できない又は入球し難い閉鎖状態になっており、大当たりの際に遊技球が入球しやすい所定の開放状態に切り換えられるようになっている。
【００９４】
スルーゲート１０５は、作動口装置１０１に付随する電動役物を開放状態とするか否かの当否抽選の抽選契機としての機能を有している。なお、第２特定ランプ部１０９は、上記開放状態の当否抽選の結果を報知する機能を有しており、スルーゲート１０５の遊技球の通過をトリガとして第２特定ランプ部１０９では所定の順序で発光色の切り換えが行われる。そして、上記発光色の切り換え表示が終了された際の発光色により当該当否抽選結果を報知する。
【００９５】
ワープ通路形成体１０４は、図７に示すように、前側遊技盤８１を前後方向に貫通させて設けられている。また、ワープ通路形成体１０４は、図６に示すように、遊技領域９３の上部にて左右にそれぞれ１個ずつ設けられている。ワープ通路形成体１０４が設けられた位置は、作動口装置１０１の下方であって、可変入賞装置１０２及び一般入賞口１０３の上方となっている。なお、ワープ通路形成体１０４の数はこれに限定されることはなく３個以上であってもよい。また、ワープ通路形成体１０４を上下に並設してもよい。
【００９６】
ワープ通路形成体１０４には、遊技球が通過可能なワープ通路１１１が内部に形成されている。そして、ワープ通路１１１は、前側遊技盤８１の前方及び後方のそれぞれにおいて開口されている。詳細には、ワープ通路形成体１０４は前側遊技盤８１から前方及び後方にそれぞれ突出しており、その前後の突出部位にそれぞれ開口１１１ａ，１１１ｂが形成されている。そのうち、前側開口１１１ａは上方に向けて開口されており、後側開口１１１ｂは下方に向けて開口されている。前側開口１１１ａがワープ通路１１１の入口部に相当し、後側開口１１１ｂがワープ通路１１１の出口部に相当している。
【００９７】
遊技領域９３を流下しワープ通路１１１内に入った遊技球は、当該ワープ通路１１１を通って前側遊技盤８１の後方（前側遊技盤８１の背面側）に導出される。前側遊技盤８１の後方には、上記のとおり後側遊技盤８２が設けられている。
【００９８】
後側遊技盤８２は、そのサイズが前側遊技盤８１よりも小さくなっている。詳細には、後側遊技盤８２の左右方向寸法は前側遊技盤８１の左右方向寸法と略同一となっているが、後側遊技盤８２の上下方向寸法は前側遊技盤８１の上下方向寸法よりも小さくなっている。後側遊技盤８２は前側遊技盤８１とその上縁の高さ位置が一致するようにして設置されている。したがって、後側遊技盤８２よりも前側遊技盤８１が下方に延長した構成となっている。
【００９９】
この前側遊技盤８１における下方に延長した領域の境界Ｌは、可変入賞装置１０２及び一般入賞口１０３が設置された位置よりも上方（詳細には、若干上方）となっている。これにより、後側遊技盤８２は、前側遊技盤８１における可変入賞装置１０２、一般入賞口１０３及びアウト口１０７が設けられた領域と前後に対向していない。よって、可変入賞装置１０２、一般入賞口１０３及びアウト口１０７に入った遊技球をパチンコ機１０外部に排出するための排出通路を、後側遊技盤８２の影響を受けずに設けることができ、かかる排出通路の設計が容易となる。特に、可変入賞装置１０２は扉体１０２ａを閉鎖状態と開放状態とに切り換えるためのアクチュエータ１０２ｂを有しているため、前側遊技盤８１よりも後方に突出した部位の体格が大きくなる。この場合に、上記のように後側遊技盤８２が設けられていることにより、可変入賞装置１０２の設置を良好に行うことができる。
【０１００】
後側遊技盤８２には、前側遊技盤８１に設けられた作動口装置１０１との干渉をさけるために前後方向に貫通した開口部１２１が形成されている。すなわち、作動口装置１０１は、前側遊技盤８１の背面構成を説明するための図８に示すように、前側遊技盤８１から後方に突出させて設けられている。この場合に、両遊技盤８１，８２が相互に固定された状態では、この後方に突出した部位が開口部１２１内に入り、作動口装置１０１と後側遊技盤８２とが干渉しないようになっている。なお、作動口装置１０１における後方に突出した部位には導出通路部１０１ａが設けられており、当該導出通路部１０１ａは後側遊技盤８２を貫通している。そして、作動口装置１０１に入球した遊技球は導出通路部１０１ａにより後側遊技盤８２の後方に導出され、遊技球をパチンコ機１０外部に排出するための排出通路内に入る。
【０１０１】
後側遊技盤８２の前面には、当該前面から前方に起立させて区画レール１２２が取り付けられている。後側遊技盤８２の前面は区画レール１２２により区画され、その区画された内側領域に遊技領域１２３が形成されている。なお、遊技領域１２３は後側遊技盤８２の前方に形成されていると言える。また、遊技領域１２３は前側遊技盤８１の後方にあるため、前側遊技盤８１の後方に形成されていると言える。
【０１０２】
遊技領域１２３は、前側遊技盤８１の前方に形成された遊技領域９３と、前側遊技盤８１を挟んで前後に並んでいる（以下、前側遊技盤８１の前方に形成された遊技領域９３を前側遊技領域９３ともいい、後側遊技盤８２の後方に形成された遊技領域１２３を後側遊技領域１２３ともいう）。なお、前側遊技領域９３における後側遊技領域１２３と前後に並んだ領域は、上記境界Ｌよりも上側の全体の領域となっている。
【０１０３】
後側遊技領域１２３は、第２分散部材としての棒状弾性体１２４が多数設置され、さらには入球部１２５が設置されて形成されている。また、これら以外にも、後側遊技領域１２３には、センターフレームユニット１２６が設置されているとともに、後側遊技盤８２を前後に貫通させてアウト口１２７が形成されている。入球部１２５に入球することなく後側遊技領域１２３を流下し終えた遊技球は、アウト口１２７を介して後側遊技領域１２３から排出される。
【０１０４】
後側遊技領域１２３に設置された棒状弾性体１２４、入球部１２５及びセンターフレームユニット１２６のうち、入球部１２５及びセンターフレームユニット１２６は後側遊技盤８２に固定されている。一方、棒状弾性体１２４は前側遊技盤８１に固定されているとともに、後側遊技盤８２に形成された支持用穴部１４１に支持されている。
【０１０５】
棒状弾性体１２４及び支持用穴部１４１について詳細に説明する。図９（ａ）は支持用穴部１４１の正面図、図９（ｂ）は図９（ａ）のＡ―Ａ線断面図、図９（ｃ）は図９（ａ）のＢ―Ｂ線断面図である。なお、以下の説明では図７及び図８等も適宜参照する。また、図４の後側遊技盤８２においては支持用穴部１４１を省略して示す。
【０１０６】
棒状弾性体１２４は、ポリカーボネートやアクリル樹脂などといった無色透明の合成樹脂により形成されている。つまり、第２分散部材としての棒状弾性体１２４は第１分散部材としての釘９４とは色彩及び材質が異なっており、両者は識別可能となっている。
【０１０７】
棒状弾性体１２４は、図７に示すように、長手方向の一端部に向けて連続的に肉厚が厚くなるように形成された胴体部１３１を備えている。胴体部１３１は長さ方向に対して垂直方向の断面形状が長さ方向のいずれの位置においても円形状となっており、周面は曲面状となっている。また、胴体部１３１の薄肉側の端部と厚肉側の端部とをその長さ方向に投影させた場合に、薄肉側の端部は厚肉側の端部における周縁に偏倚した位置にある。胴体部１３１における厚肉側の端部には一対の固定用突起１３２，１３３が一体形成され、薄肉側の端部には支持用突起１３４が一体形成されている。
【０１０８】
固定用突起１３２，１３３は、前側遊技盤８１に形成された固定用穴部に圧入されている。これにより、前側遊技盤８１から棒状弾性体１２４を取り外せないようになっている。支持用突起１３４はその長さ寸法が支持用穴部１４１の深さ寸法よりも短くなっており、当該支持用穴部１４１に挿入されている。但し、その長さ寸法は支持用穴部１４１の深さ寸法よりも若干短い程度となっている。
【０１０９】
支持用穴部１４１は、図９（ａ）に示すように上部に向けて先細りするように略三角形状をなしている。支持用穴部１４１は、中央上部に向けて深さ寸法が大きくなるように形成されている。但し、最大深さ寸法の部位においても、支持用穴部１４１は後側遊技盤８２を貫通していない。また、支持用穴部１４１の開口面積はいずれの深さ位置であっても、支持用突起１３４における長さ方向に対して垂直方向の断面積よりも大きくなっている。
【０１１０】
支持用穴部１４１の底面１４２は、図９（ｂ）に示すように、後方に向けて上り傾斜となるようにして形成されている。また、図９（ｃ）に示すように、支持用穴部１４１の両側面１４３，１４４は、支持用穴部１４１の上部中央に向けて当該支持用穴部１４１が連続的に幅狭となるように、後方ほど内側に張り出させて形成されているとともに、支持用穴部１４１の後側においては上側ほど内側に張り出させて形成されている。
【０１１１】
上記のように支持用穴部１４１が形成されていることにより、前側遊技盤８１と後側遊技盤８２との相互の固定に際して支持用穴部１４１に挿入された支持用突起１３４は、支持用穴部１４１の底面１４２及び両側面１４３，１４４により当該支持用穴部１４１の上部中央にガイドされる。この上部中央の位置が、パチンコ機１０の設計段階で設定された基準位置である。この上部中央の位置において、支持用突起１３４は支持用穴部１４１の底面１４２により下方から支持された状態となる。また、側面１４３，１４４により左右から支持された状態となる。
【０１１２】
ここで、既に説明したように、両遊技盤８１，８２の固定に際しては、それら両遊技盤８１，８２の相互の上下方向位置及び左右方向位置に若干の余裕がある。したがって、両遊技盤８１，８２を固定する際には、多数ある棒状弾性体１２４の全ての支持用突起１３４が支持用穴部１４１内に挿入されるように両遊技盤８１，８２の位置調整を行うことができる。そして、かかる位置調整さえ行えば、支持用突起１３４は支持用穴部１４１の底面１４２及び両側面１４３，１４４により当該支持用穴部１４１の上部中央にガイドされる。
【０１１３】
前側遊技盤８１に固定されるとともに後側遊技盤８２に支持された棒状弾性体１２４は、その側面視で、上縁が後方に向けて下り傾斜となっている。そして、この下り傾斜の角度は、釘９４の傾斜角度と略同一となっている。
【０１１４】
後側遊技領域１２３に導入された遊技球は、多数の棒状弾性体１２４に当たることで任意の位置に分散されながら流下する。この場合、棒状弾性体１２４は、上記のとおり、前側遊技盤８１に固定されており、さらに後側遊技盤８２に支持されているため、遊技球が当たることによる負荷は前側遊技盤８１及び後側遊技盤８２にて受けられる。特に、棒状弾性体１２４は合成樹脂により形成されているため、金属製の釘９４よりも剛性が低い。かかる事情において、上記のように棒状弾性体１２４への遊技球の負荷を前側遊技盤８１及び後側遊技盤８２の両方にて受けるようにすることで、棒状弾性体１２４による遊技球の分散が良好に行われる。
【０１１５】
棒状弾性体１２４は、前側遊技領域９３に設けられた釘９４と前後に重ならないように、上下方向及び左右方向の設置位置が設定されている（上下方向については、図７参照）。これにより、パチンコ機１０前方から視認した場合に、遊技球の分散が、釘９４又は棒状弾性体１２４のいずれに当たったことによるものかを把握することができる。
【０１１６】
入球部１２５は、前側遊技領域９３に設けられた作動口装置１０１と同様に、所定数の賞品球を払い出す払出契機としての機能を有しているとともに、大当たり状態を発生させるか否かの当否抽選の抽選契機としての機能を有している。この点、作動口装置１０１を第１作動口と言うことができ、入球部１２５を第２作動口と言うことができる。入球部１２５は、後側遊技領域１２３の中央下部であってアウト口１２７の上方に設置されている。入球部１２５に入球した遊技球は、後側遊技盤８２の後方に導出され、遊技球をパチンコ機１０外部に排出するための排出通路内に入る。
【０１１７】
センターフレームユニット１２６は、当該センターフレームユニット１２６の上部を構成する屋根フレーム１５１と、センターフレームユニット１２６の下部を構成するステージフレーム１５２とから構成されている。これら屋根フレーム１５１及びステージフレーム１５２は、ポリカーボネートやアクリル樹脂などといった無色透明の合成樹脂により形成されている。そして、これら各フレーム１５１，１５２が連結されることで、センターフレームユニット１２６は全体として枠状をなしている。
【０１１８】
屋根フレーム１５１はその左右の縦枠部分が後方に開放された溝形状をなしており、後側遊技盤８２に固定されることで後方への開放部分が塞がれ屋根通路が形成されている。屋根通路は、屋根フレーム１５１の左右上部に形成された開口を入口として上下方向に延びている。また、屋根フレーム１５１の縦枠部分の下端部は後方へ延出しており、後側遊技盤８２に形成された貫通孔を貫通している。これら下端部はステージフレーム１５２に連結されており、これにより屋根通路がステージフレーム１５２に連通されている。
【０１１９】
ステージフレーム１５２は後側遊技盤８２に形成された開口を貫通させて設けられている。ステージフレーム１５２は、図４に示すように、前方に開放された前側ステージ部１５３と、後側遊技盤８２の背面構成を説明するための図１０に示すように、後側遊技盤８２から後方に突出した後側ステージ部１５４とを有している。後側ステージ部１５４にはその左右両側にステージ通路が形成されている。このステージ通路は上記屋根通路に連通されている。また、前側ステージ部１５３には、ステージ通路を通過した遊技球が左右方向に転動するステージ１５５が形成されている。
【０１２０】
ステージ１５５には、その左右方向の中央に山部が形成されており、その左右両側に谷部が形成されている。ステージフレーム１５２における山部の下方には誘導通路１５６が形成されており、山部の後部に誘導通路１５６への入口が形成されているとともに山部はその入口に向けて下り傾斜となっている。誘導通路１５６は前方に向けて下り傾斜となっており、誘導通路１５６に導入された遊技球は当該誘導通路１５６を通ってステージフレーム１５２の下方へ排出される。誘導通路１５６の出口は、入球部１２５の鉛直上方に位置しており、両者の間に棒状弾性体１２４などの障害となる部材は配設されていない。よって、誘導通路１５６を通過した遊技球は入球部１２５に入球し易くなっている。
【０１２１】
ここで、センターフレームユニット１２６の屋根フレーム１５１は、後側遊技盤８２から前方に張り出している。したがって、屋根フレーム１５１に区画された内側の領域に遊技球が入り込まないようになっている。この領域は、図柄表示装置１６０の表示画面における一部分である特定領域の前方に位置している。これにより、後側遊技領域１２３を流下する遊技球により特定領域における表示態様が遮られないようになっている。なお、図柄表示装置における図柄の可変表示は基本的に上記特定領域にて行われる。
【０１２２】
また、前側遊技盤８１には、図４に示すように、屋根フレーム１５１の前方位置であって、当該屋根フレーム１５１の形状に沿って複数の釘９４ａがアーチ状を形成するように設置されている。そして、この釘９４ａは隣接する釘９４ａ間の距離が遊技球の直径未満となるように設置されている。つまり、前側遊技領域９３には、上記特定領域の前方位置に、釘９４ａにより区画領域が形成されている（以下、この釘９４ａを区画釘９４ａともいう）。これにより、前側遊技領域９３を流下する遊技球により特定領域における表示態様が遮られないようになっている。以上のように、後側遊技盤８２に屋根フレーム１５１が設けられており、さらに前側遊技盤８１に区画釘９４ａが設置されていることにより、図柄表示装置１６０の特定領域における表示態様が各遊技領域９３，１２３を流下する遊技球により遮られないようになっている。なお、前側遊技盤８１に対して、区画釘９４ａを設ける代わりに、フレーム状の区画体を設ける構成としてもよい。但し、この区画体は無色透明の材料により形成されていることが好ましい。
【０１２３】
次に、上記各遊技領域９３，１２３における遊技球の動きを説明する。
【０１２４】
遊技球発射機構５０から発射された遊技球は、内外レール部材９１，９２により前側遊技領域９３の上部に導入され、釘９４に当たることで分散されながら流下する。そのうち一部の遊技球は作動口装置１０１に入球する。この作動口装置１０１に入球した遊技球は、導出通路部１０１ａにより後側遊技盤８２の後方に導出されてから排出通路内に入る。また、前側遊技領域９３を流下する遊技球のうち一部の遊技球は、可変入賞装置１０２や一般入賞口１０３に入球する。また、作動口装置１０１、可変入賞装置１０２及び一般入賞口１０３のいずれにも入球することなく前側遊技領域９３を流下し終えた遊技球はアウト口１０７に入球する。可変入賞装置１０２、一般入賞口１０３及びアウト口１０７に入球した遊技球は、前側遊技盤８１の後方から排出通路内に入る。
【０１２５】
一方、前側遊技領域９３を流下する遊技球がワープ通路１１１に入ることにより当該遊技球は後側遊技領域１２３に導入され、棒状弾性体１２４に当たることで分散されながら流下する。そのうち一部の遊技球は屋根フレーム１５１の屋根通路に入球し、その入球した遊技球はステージ１５５上を左右に転動した後に当該ステージ１５５から下方に排出される。この排出される遊技球の一部は入球部１２５に入球する。また、ステージ１５５へ導かれなかった遊技球であっても、入球部１２５に入球することがある。また、入球部１２５に入球することなく後側遊技領域１２３を流下し終えた遊技球はアウト口１２７に入球する。入球部１２５及びアウト口１２７に入球した遊技球は、後側遊技盤８２の後方から排出通路内に入る。
【０１２６】
ここで、前側遊技領域９３に設けられた入球部１０１〜１０３のうち後側遊技領域１２３を前方に投影した領域に位置するのは作動口装置１０１のみであり、当該作動口装置１０１は前側遊技盤８１だけでなく後側遊技盤８２も貫通している。この場合に、ワープ通路１１１は作動口装置１０１よりも下方に配置されている。これにより、後側遊技領域１２３に導入された遊技球の導入位置は、作動口装置１０１における前側遊技盤８１と後側遊技盤８２との間に位置する部位もより下方となっており、上記のように作動口装置１０１が設けられた構成において後側遊技領域１２３を流下する遊技球が作動口装置１０１に邪魔されることはない。
【０１２７】
以上説明した遊技盤ユニット８０の後方には、上記のとおり図柄表示装置１６０が設置されている。図柄表示装置１６０は、液晶表示装置からなるが、プラズマ表示装置や有機ＥＬ表示装置などを用いてもよい。図柄表示装置１６０は、表示画面を有しており、当該表示画面の大きさは、後側遊技領域１２３よりも若干大きくなっている。そして、当該表示画面は後側遊技領域１２３と前後に並設されており、表示画面の前方領域に後側遊技領域１２３が全て含まれている。図柄表示装置１６０の表示画面における表示態様は、パチンコ機１０前方から、透明パネル３２、前側遊技盤８１及び後側遊技盤８２を通して視認可能となっている。
【０１２８】
パチンコ機１０には、本体枠１２の背面側に、遊技を統括管理する主制御装置２７１、スピーカ２０などを制御する音声ランプ制御装置２７２、図柄表示装置１６０を制御する表示制御装置２７８、遊技球の払い出しを制御する払出制御装置３１１、動作電源の供給や遊技球の発射を制御する電源及び発射制御装置３１３、払出制御装置３１１に制御されて遊技球の払出を実行する払出機構部３５２、及び中継端子板２７６や払出機構部接続基板３８１が設けられている。そこで、以下にこれらパチンコ機１０の電気的構成について、図１１のブロック図に基づいて説明する。図１１では、電力の供給ラインを二重線矢印で示し、信号ラインを実線矢印で示す。
【０１２９】
主制御装置２７１に設けられた主制御基板２７１ａには、演算装置である１チップマイコンとしてのＣＰＵ５０１が搭載されている。ＣＰＵ５０１には、該ＣＰＵ５０１により実行される各種の制御プログラムや固定値データを記憶したＲＯＭ５０２と、そのＲＯＭ５０２内に記憶される制御プログラムの実行に際して各種のデータ等を一時的に記憶するためのメモリであるＲＡＭ５０３と、割込回路やタイマ回路、データ送受信回路などの各種回路が内蔵されている。なお、当該ＣＰＵ５０１により、大当たり状態を発生させるか否かの当否抽選が行われる。
【０１３０】
主制御基板２７１ａのＣＰＵ５０１には、アドレスバス及びデータバスで構成されるバスラインを介して入出力ポートが接続されている。主制御基板２７１ａの入力側には、主制御装置２７１に設けられた電源監視基板２７１ｂ、払出制御装置３１１に設けられた払出制御基板３１１ａ及びその他図示しないスイッチ群などが接続されている。この場合に、電源監視基板２７１ｂには電源及び発射制御基板３１３ａが接続されており、主制御基板２７１ａには電源監視基板２７１ｂを介して電源が供給される。なお、上記以外にも、主制御基板２７１ａの入力側には、入球部１０１〜１０３，１２５に設けられた遊技球の検出スイッチが接続されており、その検出スイッチからの検出結果に基づいて入球部１０１〜１０３，１２５に遊技球が入球したか否かがＣＰＵ５０１にて判断される。
【０１３１】
一方、主制御基板２７１ａの出力側には、電源監視基板２７１ｂ、払出制御基板３１１ａが接続されている。払出制御基板３１１ａには、賞球コマンドなどといった各種コマンドが出力される。また、主制御基板２７１ａの出力側には、中継端子板２７６が接続されている。中継端子板２７６を介して主制御基板２７１ａから音声ランプ制御装置２７２に設けられた音声ランプ制御基板２７２ａに対して各種コマンドなどが出力される。なお、第１特定ランプ部１０８に配設されたＬＥＤランプのスイッチや第２特定ランプ部１０９に配設されたＬＥＤランプのスイッチも接続されている。これにより、第１特定ランプ部１０８及び第２特定ランプ部１０９は、主制御基板２７１ａにより直接的に制御されることとなる。
【０１３２】
電源監視基板２７１ｂは、主制御基板２７１ａと電源及び発射制御基板３１３ａとを中継し、また電源及び発射制御基板３１３ａから出力される最大電源である直流安定２４ボルトの電源を監視する。
【０１３３】
払出制御基板３１１ａは、払出モータにより賞球や貸し球の払出制御を行うものである。演算装置であるＣＰＵ５１１は、そのＣＰＵ５１１により実行される制御プログラムや固定値データ等を記憶したＲＯＭ５１２と、ワークメモリ等として使用されるＲＡＭ５１３とを備えている。
【０１３４】
払出制御基板３１１ａのＣＰＵ５１１には、アドレスバス及びデータバスで構成されるバスラインを介して入出力ポートが接続されている。払出制御基板３１１ａの入力側には、主制御基板２７１ａ、電源及び発射制御基板３１３ａ、及び払出機構部接続基板３８１が接続されている。また、払出制御基板３１１ａの出力側には、主制御基板２７１ａ及び払出機構部接続基板３８１が接続されている。かかる場合に、払出機構部接続基板３８１を介して払出装置３５８などを含む払出機構部３５２が接続されている。
【０１３５】
ちなみに、入球部１０１〜１０３，１２５に遊技球が入球した際には、主制御基板２７１ａから払出制御基板３１１ａに賞球コマンドが出力され、払出制御基板３１１ａでは当該賞球コマンドに含まれる情報に基づいて払出装置３５８を駆動制御し、遊技球の払い出しを実行させる。
【０１３６】
電源及び発射制御基板３１３ａは、電源部と発射制御部とを備えている。電源部は、二重線矢印で示す経路を通じて、主制御基板２７１ａや払出制御基板３１１ａ等に対して各々に必要な動作電源を供給する。
【０１３７】
発射制御部は、遊技者による遊技球発射ハンドル１８の操作に従って発射ソレノイド５２の発射制御を担うものであり、発射ソレノイド５２は所定の発射条件が整っている場合に駆動される。具体的には、発射制御部には遊技球発射ハンドル１８に設けられた発射スイッチ３３１、タッチセンサ３３２及び止め打ちスイッチ３３３が接続されており、発射スイッチ３３１及びタッチセンサ３３２がオン、止め打ちスイッチ３３３がオフの状態となった場合に限って発射許可信号を主制御基板２７１ａ（電源監視基板２７１ｂを介して）に出力する。主制御基板２７１ａは、当該発射許可信号の入力に基づいて所定周期の発射制御信号を発射制御部（電源監視基板２７１ｂを介して）に出力する。これにより、発射制御部は、発射制御信号の入力周期に従って発射ソレノイド５２を駆動する。この場合に、遊技球発射ハンドル１８にはハンドル操作量を判定するためのダイヤル可変抵抗器が設けられており、発射制御部はダイヤル可変抵抗器における抵抗値の変化に基づいて発射ソレノイド５２による打ち出し速度を決定する。
【０１３８】
音声ランプ制御基板２７２ａは、表示制御装置２７８やスピーカ２０などを制御するものである。音声ランプ制御基板２７２ａは、ＣＰＵ、ＲＯＭ及びＲＡＭ等を備えており、ＣＰＵにはアドレスバス及びデータバスで構成されるバスラインを介して入出力ポートが接続されている。音声ランプ制御基板２７２ａの入力側には中継端子板２７６に中継されて主制御基板２７１ａが接続されており、主制御基板２７１ａから出力される各種コマンドに基づいて、表示制御装置２７８やスピーカ２０などを制御する。表示制御装置２７８は、音声ランプ制御基板２７２ａから入力する表示コマンドに基づいて図柄表示装置１６０を制御する。
【０１３９】
図柄表示装置１６０では、基本的に上記特定領域において図柄の可変表示が行われる。この場合、特定領域の周囲では背景画面などが表示されている。また、所定のリーチ演出時などに際しては、表示画面の全体でリーチ演出が表示される。
【０１４０】
以上詳述した本実施形態によれば、以下の優れた効果を奏する。
【０１４１】
前側遊技領域９３と後側遊技領域１２３とを前側遊技盤８１を挟んで前後に並設し、それら各遊技領域９３，１２３における遊技球の流下態様を、透明パネル３２を通じてパチンコ機１０前方から視認可能とした。これにより、遊技球の流下態様の多様化が図られる。当該構成において、前側遊技領域９３には第１分散部材として金属製の釘９４を設置するとともに、後側遊技領域１２３には第２分散部材として無色透明の合成樹脂により形成された棒状弾性体１２４を設置した。したがって、前側遊技領域９３の分散部材と後側遊技領域１２３の分散部材とが識別可能となっている。これにより、前側遊技領域９３と後側遊技領域１２３とが前後に並設された構成において、遊技者にとっては、遊技球がいずれの分散部材に当たって分散されているかを把握することで、当該遊技球がいずれの遊技領域９３，１２３を流下しているかを把握することが可能となる。よって、各遊技領域９３，１２３における遊技球の流下態様に注目させることができ、複数の遊技領域９３，１２３を並設した効果が確実に発揮される。
【０１４２】
また、本構成においては、前側遊技領域９３の分散部材（釘９４）と後側遊技領域１２３の分散部材（棒状弾性体１２４）とで弾性が異なるものとなり、各分散部材に遊技球が当たった場合の弾み方が異なるものとなる。これにより、前側遊技領域９３と後側遊技領域１２３とが前後に並設された構成において、遊技者にとっては、遊技球が分散部材に当たった場合の弾み方を把握することで、当該遊技球がいずれの遊技領域９３，１２３を流下しているかを把握することが可能となる。
【０１４３】
棒状弾性体１２４は、前側遊技盤８１に固定されているとともに、後側遊技盤８２に対しては、両遊技盤８１，８２間の離脱に際してその離脱を阻止しない非固定状態で当接させて設置されている。これにより、棒状弾性体１２４に遊技球が当たった際には、その負荷は両遊技盤８１，８２にて受けられる。棒状弾性体１２４は釘９４に比べ剛性が低いため、一端部が片持ち支持された構成では流下してくる遊技球の負荷が完全に受けられず、遊技球を分散する機能が好適に発揮されないおそれがある。これに対して、上記のように棒状弾性体１２４に遊技球が当たった際には、その負荷は両遊技盤８１，８２にて受けられる。よって、棒状弾性体１２４は遊技球が当たった際の負荷に対して確実に抗するため、遊技球を分散する機能が好適に発揮される。
【０１４４】
また、上記のように棒状弾性体１２４を前側遊技盤８１にのみ固定し、後側遊技盤８２には固定しないようにしたことにより、前側遊技盤８１と後側遊技盤８２とを遊技盤ユニット８０としてユニット化する際には、棒状弾性体１２４の固定は前側遊技盤８１にのみ行うだけでよく、その作業性が良好なものとなる。
【０１４５】
また、前側遊技盤８１及び後側遊技盤８２の両方に棒状弾性体１２４が固定された構成を想定すると、前側遊技盤８１又は後側遊技盤８２のメンテナンスなどに際して一方の遊技盤を他方の遊技盤から分離するためには、棒状弾性体１２４の固定を解除する必要が生じ、その作業は困難である。これに対して、前側遊技盤８１にのみ固定されているので、前側遊技盤８１又は後側遊技盤８２のメンテナンスなどに際して棒状弾性体１２４の固定を解除する必要はなく、メンテナンスなどにおける作業性を向上させることができる。
【０１４６】
後側遊技盤８２には、棒状弾性体１２４の支持用突起１３４が挿入されるとともに、当該支持用突起１３４を支持する支持用穴部１４１を形成した。これにより、後側遊技盤８２における棒状弾性体１２４の支持を確実なものとすることができる。
【０１４７】
また、支持用穴部１４１の開口面積を、支持用突起１３４における長さ方向に対して垂直方向の断面積よりも大きくした。これにより、支持用突起１３４を支持用穴部１４１に挿入させる際の両者の位置合わせ作業を良好に行うことができる。この場合に、支持用穴部１４１には、支持用突起１３４に下方から当接する底面１４２が形成されている。これにより、支持用突起１３４は支持用穴部１４１により下方から支持され、棒状弾性体１２４に遊技球が上方から当たった際の負荷が確実に支持用穴部１４１（又は後側遊技盤８２）にて受けられる。
【０１４８】
また、支持用穴部１４１の底面１４２は支持用突起１３４の挿入方向に上り傾斜となっているとともに、支持用穴部１４１の左右側面１４３，１４４は上記挿入方向に幅狭となるように形成されている。これにより、支持用穴部１４１における支持用突起１３４の位置が、設計時における基準位置へと極力ガイドされ、支持用穴部１４１における支持用突起１３４の支持が良好に行われる。
【０１４９】
ボルト８３及びナット８４により前側遊技盤８１と後側遊技盤８２とを固定し、両遊技盤８１，８２をユニット化して遊技盤ユニット８０とした。これにより、パチンコ機１０の製造時やメンテナンス時などにおいて両遊技盤８１，８２を設置する際の作業性の向上が図られる。この場合に、両遊技盤８１，８２に形成された貫通孔８１ａ，８２ａの開口面積は、ボルト８３の貫通部８３ａにおける長さ方向に対して垂直方向の断面積よりも若干大きくなっており、両遊技盤８１，８２の固定に際しては両遊技盤８１，８２の相互の上下方向位置及び左右方向位置に若干の余裕がある。かかる余裕がない構成を想定すると、パチンコ機１０の製造段階において支持用穴部１４１の位置が僅かでもずれていると、当該支持用穴部１４１にて支持用突起１３４が受けられなくなる。この場合、棒状弾性体１２４の支持が良好に行われないだけでなく、その棒状弾性体１２４が障害となって前側遊技盤８１と後側遊技盤８２との固定が行えないおそれがある。これに対して、上記のとおり両遊技盤８１，８２の固定に際しては両遊技盤８１，８２の相互の上下方向位置及び左右方向位置に若干の余裕があるため、上記のような不都合が生じ難くなる。
【０１５０】
また、このような固定に関する構成において、支持用穴部１４１の底面１４２及び側面１４３，１４４が上記のとおり形成されていることにより、支持用穴部１４１に支持用突起１３４を挿入させることで、当該支持用突起１３４は支持用穴部１４１における基準位置へと極力ガイドされ、支持状態は自ずと良好なものとなり得る。
【０１５１】
釘９４を前側遊技盤８１の前面側に固定するとともに、棒状弾性体１２４を前側遊技盤８１の後面側に固定した。これにより、パチンコ機１０の製造段階や設計段階において、釘９４と棒状弾性体１２４との相互の位置決めを良好に行うことができる。特に、前側遊技盤８１には、前側遊技領域９３から後側遊技領域１２３へ遊技球を導出するワープ通路形成体１０４が設置される。この場合に、釘９４又は棒状弾性体１２４の少なくとも一方が前側遊技盤８１に設置されていない構成を想定すると、前側遊技盤８１の設置に際してその位置にずれが生じると、ワープ通路形成体１０４と前側遊技盤８１に設置されていない側の分散部材とが干渉してしまうおそれがある。また、ワープ通路１１１の開口をその分散部材により塞いでしまうおそれがある。これに対して、上記のとおり前側遊技盤８１に釘９４と棒状弾性体１２４との両方が固定されていることにより、前側遊技盤８１に対して、釘９４、棒状弾性体１２４及びワープ通路形成体１０４が一体的なものとなっているため、上記のような不都合が生じることはない。
【０１５２】
前側遊技領域９３及び後側遊技領域１２３のいずれにも、遊技者への特典の付与に関わる入球部１０１〜１０３，１２５を設けた。これにより、遊技者にとっては、前側遊技領域９３及び後側遊技領域１２３のいずれにおいても特典を得る機会が与えられている。前側遊技領域９３又は後側遊技領域１２３のいずれか一方にのみ遊技者への特典の付与に関わる入球部が設けられた構成においては、遊技領域を複数並設したにも関わらず、遊技者の注目が入球部が設けられた側の遊技領域に偏ってしまうおそれがあり、この場合、遊技領域を並設した効果が十分に発揮されない。これに対して、本構成によれば、前側遊技領域９３及び後側遊技領域１２３のいずれに対しても遊技者の注目度が高められ、遊技領域９３，１２３を並設した効果が確実に発揮される。
【０１５３】
前側遊技領域９３に設けられた入球部１０１〜１０３を、後側遊技領域１２３における遊技球が流下する領域の前方領域に含まれない位置に設置した。これにより、入球部１０１〜１０３に入球した遊技球の排出通路により、後側遊技領域１２３における遊技球の流下が邪魔されてしまうことが防止される。
【０１５４】
なお、上述した実施形態の記載内容に限定されず、例えば次のように実施してもよい。
【０１５５】
（１）遊技盤ユニットの変形例を、図１２を用いて説明する。図１２は遊技盤ユニット１７０の縦断面の構成を説明するための略図である。
【０１５６】
図１２に示すように、遊技盤ユニット１７０は、上記実施形態における遊技盤ユニット８０と同様に、前側遊技盤１７１と後側遊技盤１７２とを備えている。そして、前側遊技盤１７１の前方に前側遊技領域が形成されているとともに、前側遊技盤１７１の後方に後側遊技領域が形成されている。但し、本遊技盤ユニット１７０では、前側遊技領域に上記実施形態における第２分散部材としての棒状弾性体１２４が設置されているとともに、後側遊技領域に上記実施形態における第１分散部材としての釘９４が設置されている。この場合に、棒状弾性体１２４は透明パネル３２に固定されているとともに、前側遊技盤１７１に支持されている。また、釘９４は後側遊技盤１７２に固定されている。本構成であっても、遊技球の流下態様の多様化が図られる。さらには各遊技領域の分散部材が相互に識別可能となっているため、上記実施形態と同様に各遊技領域における遊技球の流下態様に注目させることができ、複数の遊技領域を並設した効果が確実に発揮される。なお、本構成では、前側遊技盤１７１は透明パネル３２に固定され、後側遊技盤１７２は前側遊技盤１７１に固定されず、本体枠１２に固定されている。
【０１５７】
（２）上記（１）の構成において、棒状弾性体１２４を透明パネル３２に固定するのではなく、前側遊技盤１７１に固定するようにしてもよい。また、透明パネル３２と前側遊技盤１７１との間に無色透明の合成樹脂により形成された板を介在させ、当該板と前側遊技盤１７１とにより棒状弾性体１２４を支持する構成としてもよい。
【０１５８】
（３）棒状弾性体の変形例を、図１３を用いて説明する。図１３は棒状弾性体１８１を説明するための略図である。
【０１５９】
棒状弾性体１８１は、上記実施形態における棒状弾性体１２４とその形態が異なっている。詳細には、棒状弾性体１８１の胴体部１８２は、長手方向の一端部に向けて連続的に肉厚が厚くなっているのではなく、基本的に肉厚が同一の略円柱状となっている。但し、その両端は中央側に比べ肉厚となっている。そして、一方の端部に一対の固定用突起１８３，１８４が形成されている。棒状弾性体１８１は、前側遊技盤８１に形成された固定用穴に固定用突起１８３，１８４を圧入することで固定されている。この場合に、棒状弾性体１８１は、パチンコ機１０前方に向けて上り傾斜となるようにして固定されている。
【０１６０】
棒状弾性体１８１は、上記実施形態と異なり、支持用突起を有しておらず、後側遊技盤８２に支持されていない。但し、棒状弾性体１８１における後側遊技盤８２側の端部１８５は、当該後側遊技盤８２の表面から離間された位置にある。そして、この端部１８５の位置は、図１３の二点鎖線で示すように、遊技球が棒状弾性体１８１に当たった際に、端部１８５が後側遊技盤８２に当接する位置となっている。これにより、棒状弾性体１８１への遊技球が当たることによる負荷は、前側遊技盤８１及び後側遊技盤８２にて受けられる。本構成によれば、棒状弾性体１８１に支持用突起を形成することなく、さらに後側遊技盤８２に支持用穴部を形成することなく、上記実施形態と同様の効果を得ることができる。さらには、前側遊技盤８１と後側遊技盤８２との固定に際して、上記実施形態のような支持用突起と支持用穴部との位置合わせ作業が必要なくなるため、かかる固定作業の容易化が図られる。
【０１６１】
ちなみに、棒状弾性体１８１の両端の厚肉部は、流下する遊技球が当たらないように形成されている。すなわち、図１３に示すように、厚肉部は、その先端側に向けての傾斜が遊技球の曲率よりも大きくなるように形成されている。これにより、上記のように厚肉部を形成した構成において、棒状弾性体１８１において遊技球が当たる部位は厚肉部よりも中央側となり、棒状弾性体１８１における遊技球の分散の態様を、従来の釘における遊技球の分散の態様に似せることが可能となる。
【０１６２】
（４）上記（３）の構成において、棒状弾性体１８１の上記端部１８５を当該棒状弾性体１８１の自然状態で後側遊技盤８２の板面に当接させる構成としてもよい。この場合、図１３において二点鎖線で示す状態が棒状弾性体１８１の自然状態となる。当該構成であっても、上記（３）における構成と同様の効果を得ることができる。
【０１６３】
（５）上記実施形態では、第１分散部材を金属製の釘９４とし、第２分散部材を棒状弾性体１２４とすることで、両分散部材を識別可能としたが、第１分散部材と第２分散部材とを共に金属製の釘としてもよい。但し、この場合、両分散部材が識別可能なように、一方の釘の周面や頭部に色彩を付してもよい。また、両方の釘の周面や頭部に色彩を付すとともに、その付す色彩を第１分散部材の釘と第２分散部材の釘とで異ならせてもよい。また、両分散部材が識別可能なように、一方の釘の周面や頭部に模様を付してもよい。また、両方の釘の周面や頭部に模様を付すとともに、その付す模様を第１分散部材の釘と第２分散部材の釘とで異ならせてもよい。
【０１６４】
（６）さらには、第１分散部材と第２分散部材とを共に合成樹脂製の棒状弾性体としてもよい。但し、この場合、両分散部材が識別可能なように、一方の棒状弾性体を着色した合成樹脂により形成してもよい。また、両方の棒状弾性体を着色した合成樹脂により形成するとともに、その色彩を第１分散部材の棒状弾性体と第２分散部材の棒状弾性体とで異ならせてもよい。また、両方の棒状弾性体を同一色とする一方、それらの形状又は大きさを異ならせてもよい。また、両方の棒状弾性体に異なる模様を付してもよい。
【０１６５】
上記（５）及び（６）の構成であっても、第１分散部材と第２分散部材とを相互に識別可能なものとすることができる。これにより、複数の遊技領域９３，１２３が前後に並設された構成において、遊技者にとっては、遊技球がいずれの分散部材に当たって分散されているかを把握することで、当該遊技球がいずれの遊技領域９３，１２３を流下しているかを把握することが可能となる。よって、各遊技領域９３，１２３における遊技球の流下態様に注目させることができる。
【０１６６】
（７）上記実施形態では、前側遊技盤８１を無色透明な材料により形成したが、有色透明な材料により形成してもよい。但し、その透明性は、前側遊技盤８１を通じて後側遊技領域１２３が視認可能な程度である必要がある。また、本構成においては、前側遊技領域９３に設けられる第１分散部材と後側遊技領域１２３に設けられる第２分散部材とを、同一の形態としたとしても、両分散部材は識別可能となる。パチンコ機１０前方から視認した場合、第２分散部材は前側遊技盤８１の色彩が反映された状態で視認されるからである。
【０１６７】
（８）上記実施形態では、遊技盤ユニット８０は２つの遊技盤８１，８２を備える構成としたが、遊技盤を３個以上備える構成としてもよい。この場合、前後に並設される遊技領域の数が上記実施形態よりも多くなり、遊技球の流下態様のさらなる多様化が図られる。当該構成においては、複数の遊技領域における任意の一対の遊技領域に対して本発明を適用してもよく、全ての遊技領域に対して本発明を適用してもよい。
【０１６８】
（９）上記実施形態では、前側遊技盤８１のサイズを後側遊技盤８２のサイズよりも大きくしたが、これに代えて、後側遊技盤８２のサイズを前側遊技盤８１のサイズよりも大きくしてもよい。また、前側遊技盤８１及び後側遊技盤８２の両サイズを同一又は略同一としてもよい。
【０１６９】
（１０）後側遊技盤８２のサイズを上記実施形態よりも小さくしてもよい。この場合、前側遊技盤８１を無色透明な材料により形成するのではなく、後側遊技盤８２の前方領域に含まれる一部のみを無色透明な材料により形成し、他の部位を有色不透明な材料により形成してもよい。また、前側遊技盤８１を無色透明な材料により形成しつつ、後側遊技盤８２の前方領域に含まれる一部以外に対しては、板面に有色のシートを貼り付ける構成としてもよい。
【０１７０】
（１１）上記実施形態において、前側遊技領域９３と後側遊技領域１２３とに、釘９４及び棒状弾性体１２４以外に、両遊技領域９３，１２３に共通の分散部材を設置してもよい。当該構成であっても、依然として前側遊技領域９３には釘９４が設置され、後側遊技領域１２３には棒状弾性体１２４が設置されているため、上記実施形態と同様の効果を得ることができる。但し、本構成においては一部の分散部材が両遊技領域９３，１２３で共通しているため、各遊技領域９３，１２３の遊技球の流下態様を確実に把握させるという点では上記実施形態の方が好ましい。
【０１７１】
（１２）上記実施形態では両遊技領域９３，１２３に、遊技者への特典の付与に関わる入球部を設置したが、これを変更してもよい。例えば、前側遊技領域９３にのみ入球部を設置し、後側遊技領域１２３には入球部を設置しない構成としてもよく、後側遊技領域１２３にのみ入球部を設置し、前側遊技領域９３には入球部を設置しない構成としてもよい。これらの構成であっても、遊技球の流下態様の多様化は図られるとともに、各遊技領域９３，１２３の分散部材が相互に識別可能となっているため各遊技領域９３，１２３における遊技球の流下態様に注目させることができる。
【０１７２】
（１３）上記実施形態では、少なくとも後側遊技領域１２３の全域と重なる程度の表示画面を有する図柄表示装置１６０を遊技盤ユニット８０の後方に設置し、その表示態様を前側遊技盤８１及び後側遊技盤８２を通じてパチンコ機１０前方から視認可能としたが、かかる図柄表示装置１６０の構成を変更してもよい。例えば、後側遊技盤８２においてセンターフレームユニット１２６により区画された内側領域に開口部を設け、当該開口部が表示画面の周縁部分と前後に重なるように図柄表示装置１６０を設ける構成としてもよい。本構成の場合、後側遊技盤８２を透明性を有する材料により形成する必要はない。
【０１７３】
（１４）上記実施形態では、第１，第２特定ランプ部１０８，１０９を設ける構成としたが、これらを設けずともよい。また、第１，第２特定ランプ部１０８，１０９を設ける構成においては、その配置位置は上記実施形態における位置に限定されることはなく任意である。
【０１７４】
（１５）上記実施形態では、主制御基板２７１ａからのコマンドに基づいて音声ランプ制御基板２７２ａが表示制御装置２７８を制御する構成としたが、これに代えて、主制御基板２７１ａからのコマンドに基づいて表示制御装置２７８が音声ランプ制御基板２７２ａを制御する構成としてもよい。また、表示制御装置２７８と音声ランプ制御基板２７２ａとを別々に設けるのではなく、これら両基板の機能を一の基板に設けてもよい。この場合、かかる基板が主制御基板２７１ａからのコマンドに基づいて、図柄表示装置１６０を制御することとなる。
【０１７５】
（１６）上記実施形態とは異なる他のタイプのパチンコ機等、例えば特別装置の特定領域に遊技球が入ると電動役物が所定回数開放するパチンコ機や、特別装置の特定領域に遊技球が入ると権利が発生して大当たりとなるパチンコ機、他の役物を備えたパチンコ機、アレンジボール機、雀球等の他の遊技機にも適用できる。
【図面の簡単な説明】
【０１７６】
【図１】一実施形態におけるパチンコ機を示す正面図である。
【図２】パチンコ機の主要な構成を展開又は分解して示す斜視図である。
【図３】パチンコ機を構成する本体枠の前面構成を示す正面図である。
【図４】遊技盤ユニットの分解斜視図である。
【図５】遊技盤ユニットの固定に関する構成を説明するための説明図である。
【図６】遊技盤ユニットの正面図である。
【図７】遊技盤ユニットの縦断面の構成を説明するための略図である。
【図８】前側遊技盤の背面構成を示す斜視図である。
【図９】（ａ）は支持用穴部の正面図、（ｂ）は（ａ）のＡ―Ａ線断面図、（ｃ）は（ａ）のＢ―Ｂ線断面図である。
【図１０】後側遊技盤の背面構成を示す斜視図である。
【図１１】パチンコ機の電気的構成を示すブロック図である。
【図１２】別の遊技盤ユニットの構成を説明するための略図である。
【図１３】別の棒状弾性体の構成を説明するための略図である。
【符号の説明】
【０１７７】
１０…遊技機としてのパチンコ機、１８…操作手段としての遊技球発射ハンドル、３２…窓パネル部としての透明パネル、５０…遊技球発射機構、８０…遊技盤ユニット、８１…透明板部としての前側遊技盤、８２…対向板部としての後側遊技盤、８３…固定手段を構成するボルト、８４…固定手段を構成するナット、９１…内レール部材、９２…外レール部材、９３…前側遊技領域、９４…釘、１０１…作動口装置、１０２…可変入賞装置、１０３…一般入賞口、１１１…ワープ通路、１２３…後側遊技領域、１２４…樹脂製分散部材としての棒状弾性体、１２５…入球部、１３４…支持用突起、１４１…支持用穴部、１４２…下側当接面としての底面、１４３，１４４…側面、１７０…遊技盤ユニット、１７１…透明板部としての前側遊技盤、１７２…後側遊技盤、１８１…樹脂製分散部材としての棒状弾性体、１８５…端部。
【図１】
2008212255.tif 000003
【図２】
2008212255.tif 000004
【図３】
2008212255.tif 000005
【図４】
2008212255.tif 000006
【図５】
2008212255.tif 000007
【図６】
2008212255.tif 000008
【図７】
2008212255.tif 000009
【図８】
2008212255.tif 000010
【図９】
2008212255.tif 000011
【図１０】
2008212255.tif 000012
【図１１】
2008212255.tif 000013
【図１２】
2008212255.tif 000014
【図１３】
2008212255.tif 000015